(57)【特許請求の範囲】
【請求項１】
圧縮機と、四方弁と、室外熱交換器と、室外膨張弁とをこの順に、互いに冷媒を循環させる配管で連結することにより構成される室外機と、
室内膨張弁と、室内熱交換器とをこの順に、冷媒を循環させる配管で連結することにより構成される室内機と、を接続することにより形成される冷凍回路が複数設けられ、
前記室内熱交換器はそれぞれ、対応する冷凍回路に対して互いに並列接続された複数段の分配流路を有し、
前記複数の冷凍回路の前記室内熱交換器に対して共通に、吸い込み温度を検出する吸い込み温度センサー、吹き出し温度を検出する吹き出し温度センサー、および気化式加湿器が設けられ、
前記室内膨張弁は、対応する前記分配流路を開閉可能に設けられ、前記室内熱交換器により外気を加熱又は冷却するとともに、前記気化式加湿器により加湿することにより、室内の空気を調和する外調機の制御装置であって、
前記室内膨張弁はそれぞれ、前記吸い込み温度センサーおよび前記吹き出し温度センサーにより検出された吸い込み温度および吹き出し温度に基づいて、該室内膨張弁の絞り度を制御する室内膨張弁コントローラを有し、
前記室内膨張弁コントローラそれぞれを制御する単一マスターコントローラが設けられ、該単一マスターコントローラは、ユーザの操作により、前記外調機の電源のオンオフが可能なオンオフスイッチと、ユーザの指示により、前記四方弁を切り替えて、室内の冷暖房を切り替え可能な冷暖房切り替え手段と、ユーザの指示により、吹き出し目標温度および室内目標湿度が設定可能な吹き出し目標温度および室内目標湿度入力手段と、前記吸い込み温度センサーにより検出された吸い込み温度および設計吸い込み温度に基づいて、前記複数の冷凍回路の各々において、前記室内熱交換器の稼動すべき段数を算出する段数算出手段と、算出された前記室内熱交換器の稼動すべき段数に基づいて、前記室外機の稼動すべき台数を決定する台数決定手段と、室内目標湿度と室内湿度との湿度差に基づいて、前記室内熱交換器の段数制御および前記室外機の台数制御に対する割り込みを行う割り込み手段とを有し、
該単一マスターコントローラは、前記室内膨張弁コントローラそれぞれに対して、制御信号を送り、それにより、室内熱交換器入口温度と室内熱交換器出口温度との温度差に基づいて、いずれかの前記冷凍回路の前記複数段の分配流路の前記室内膨張弁の開閉を制御することにより、前記室内熱交換器の段数制御を行い、いずれかの前記冷凍回路の前記複数段の分配流路各々に対応する前記室内膨張弁がすべて閉じられる場合に、対応する前記室外機の前記圧縮機を停止することにより、前記室外機の台数制御を行い、
室内目標湿度と室内湿度との湿度差に基づいて、前記室内熱交換器の段数制御および前記室外機の台数制御に対する割り込みを行い、室内湿度が室内目標湿度に達するまで、前記室内熱交換器の段数制御および前記室外機の台数制御を、室内目標湿度と室内湿度との湿度差に基づいて、優先的に行うことを特徴とする、外調機の制御装置。
【請求項２】
前記複数の冷凍回路において、前記室内膨張弁の開閉制御を行う冷凍回路の順序、および１つの前記冷凍回路内の複数の室内膨張弁において、開閉制御を行う順序を予め定めておく、請求項１に記載の外調機の制御装置。
【請求項３】
前記複数の冷凍回路のいずれかの前記複数の室内膨張弁のいずれかの室内膨張弁の開閉制御を開始したら、その冷凍回路中の前記複数の室内膨張弁のすべてが、開または閉とならない限り、他の冷凍回路の前記複数の室内膨張弁の開閉制御を行わないように設定する、請求項２に記載の外調機の制御装置。
【請求項４】
冷房モードにおける、前記室内膨張弁の開閉制御を行う冷凍回路の順序、および複数の室内膨張弁において開閉制御を行う順序と、暖房モードにおける、前記室内膨張弁の開閉制御を行う冷凍回路の順序、および複数の室内膨張弁において開閉制御を行う順序とをそれぞれ、逆の順序とすることにより、シーズンローテンションを行う、請求項２または請求項３に記載の外調機の制御装置。
【請求項５】
前記単一マスターコントローラは、無線あるいは有線によるリモートコントローラである、請求項１に記載の外調機の制御装置。
【請求項６】
前記単一マスターコントローラは、前記気化式加湿器による加湿量を調整する加湿量調整手段をさらに有する、請求項１に記載の外調機の制御装置。
【請求項７】
前記段数算出手段は、室内湿度が室内目標湿度より低い場合において、前記室内熱交換器の段数制御により、前記室内膨張弁を開として、段数を増加する、請求項１に記載の外調機の制御装置。
【請求項８】
前記段数算出手段は、室内湿度が室内目標湿度より低い場合において、前記室内熱交換器の段数制御により段数を増加するとともに、前記加湿量調整手段により、前記気化式加湿器により加湿量を増大する、請求項６に記載の外調機の制御装置。
【請求項９】
室内湿度が室内目標湿度より低い場合において、前記室内熱交換器の段数制御により、段数を増加するとともに、前記気化式加湿器による加湿量を増大した後、所定時間経過後、室内湿度と室内目標湿度との差を算出し、それに基づいて、前記室内熱交換器の段数制御および前記室外機の台数制御に対する割り込みを解除するか否かを決定する割り込み解除手段をさらに有する、請求項８に記載の外調機の制御装置。
【請求項１０】
前記段数算出手段は、前記室内熱交換器の段数制御において、前記複数の冷凍回路の各々において、前記室内熱交換器の全段数を稼働した場合の設計吸い込み温度と設計室温との温度差ΔT、および検出した外気温度と目標室温との温度差Δｔを算出する手段と、
前記全段数に対して、ΔｔのΔTに対する比を乗じることにより、稼動すべき段数を算出する手段と、
算出された稼動すべき段数に基づいて、前記複数の冷凍回路のいずれかについて、前記室内熱交換器の段数を増減する手段と、
を有する請求項１ないし請求項９のいずれか１項に記載の外調機の制御装置。
【請求項１１】
前記室内機には、前記室内熱交換器の下流側に、前記室内熱交換器により温度調整された外気を室内に送り込むように送風機がさらに設けられ、
検出した外気温度と目標室温との温度差Δｔに基づいて、前記送風機をインバータ制御することにより、前記室内熱交換器により温度調整された外気の流量をさらに調整する送風機インバータ制御手段を有する、請求項１ないし請求項１０のいずれか１項に記載の外調機の制御装置。
【請求項１２】
前記室内熱交換器の段数制御および前記室外機の台数制御により、所定時間内に吹き出し温度が吹き出し目標温度に達しない場合において、前記室内熱交換器の開状態の前記分配流路の対応する室内膨張弁の開度を比例的に制御することにより、冷媒の流量を制御する冷媒流量制御手段をさらに有する、請求項１ないし請求項１１のいずれ１項に記載の外調機の制御装置。
【請求項１３】
前記冷媒流量制御手段は、吹き出し温度の所定時間内の変化率が所定値を満たさない場合に、前記室内熱交換器の開状態の前記分配流路の対応する室内膨張弁の開度を比例的に制御することにより、冷媒の流量を制御する段階をさらに有する、請求項１２に記載の外調機の制御装置。
【発明の詳細な説明】
【技術分野】
【０００１】
本発明は、外調機の制御装置に関し、より詳細には、吹き出し温度および室内湿度を最適に調整することにより快適性を確保しつつ、省エネを可能とする外調機の制御装置に関する。
【背景技術】
【０００２】
いわゆるヒートポンプ式チラーは、特許文献1に開示されているように、ヒートポンプ式冷媒回路により冷却または加熱される水またはブラインにより間接的に室内空気を空気調和しており、ヒートポンプ式冷媒回路により直接空気調和をしないことから、たとえば、水またはブライン回路中に蓄熱槽を設置することにより、ヒートポンプ式冷媒回路の運転と、室内空気の負荷状況とを分離することが可能であり、制御性に優れるが、水またはブライン回路が別途必要であり、その分、設備コストが増大する。
【０００３】
これに対して、いわゆる直膨式空調システムは、特許文献２に開示されているように、ヒートポンプ式冷媒回路により室内空気を直接空気調和することから、水またはブライン回路が不要であり、設備コストが低減可能である反面、制御性に劣る。
より詳細には、熱負荷流体である空気温度が変化して、熱負荷が変動する際、それに応じて、ヒートポンプ式冷媒回路の膨張弁を調整することにより冷媒流量を調整する必要があるが、膨張弁の開閉による冷媒の流量調整のみでは、熱負荷の変動に対応したきめ細かい調整が困難であり、そのために、たとえば、ヒートポンプ式冷媒回路を余分に運転させて、エネルギーロスを生じたりする。
特に、直膨式空調システムとして、外気利用タイプのヒートポンプ式を利用して、夏場には冷房、冬場には暖房とともに加湿を行う場合、季節に応じて大幅に変動する外気に対して、エネルギーロスを抑制しつつ、目標温度および/目標湿度を達成するのは困難である。
【０００４】
この点、特許文献３には、空気側回路の温度制御の精度を向上するための負荷側熱交換器への冷媒流量の比例制御システムと、負荷側熱交換器冷媒回路の段数制御システムとを組み合わせた複合システムが開示されている。
より詳細には、負荷側熱交換器冷媒回路の段数制御による温度制御システムの悪さの改善と、負荷側熱交換器への冷媒流量の比例制御による温度制御における低負荷時の下限制御の限界の改善と、熱収支のアンバランスの回避とを併せて実現している。
しかしながら、このシステムにおいては、吹き出し温度の制御のみ行われ、室内湿度の調整については言及がなされておらず、ましてや、特に気化式加湿方式の場合には、加湿により気化潜熱により温度が低下するとともに、温度低下ゆえに加湿不足になることがあり、季節に応じて大幅に変動する外気に対して、エネルギーロスを抑制しつつ、目標温度および/目標湿度を達成するのは困難であるという技術的課題については、開示はおろか示唆すらなされていない。
【０００５】
これに対して、特許文献４には、負荷変動に対する熱交換量の制御を安定しておこなう冷凍装置が開示されている。
より詳細には、この冷凍装置は、圧縮機と、四方弁と、室外熱交換器と、室外膨張弁とを冷媒を循環させる配管で連結してなる室外機、及び室内膨張弁と、室内熱交換器とを冷媒を循環させる配管で連結してなる室内機を接続して冷凍サイクルを形成し、室外及び室内熱交換器の熱交換量を制御する制御手段を備えてなり、室外又は室内熱交換器により負荷流体を加熱又は冷却するセパレート型の冷凍装置において、室外及び室内熱交換器は、それぞれ並列接続された複数の分配流路を有し、室外及び室内膨張弁は、分配流路のそれぞれに設けられ、各流路を開閉可能に形成されてなり、制御手段は、負荷流体の温度に基づいて複数の室外及び室内膨張弁の開閉を制御するように構成され、室外及び室内熱交換器に対して、段数制御が可能なようにしている。
【０００６】
しかしながら、この冷凍装置においては、特許文献３と同様に、吹き出し温度の制御のみ行われ、室内湿度の調整については言及がなされておらず、ましてや、特に気化式加湿方式の場合には、加湿により気化潜熱により温度が低下するとともに、温度低下ゆえに加湿不足になることがあり、季節に応じて大幅に変動する外気に対して、エネルギーロスを抑制しつつ、目標温度および/目標湿度を達成するのは困難であるという技術的課題については、開示はおろか示唆すらなされていない。
【特許文献１】特開２００２−３１８０２８号
【特許文献２】特開２０１２−３７１０８号
【特許文献３】特許第５２４１７６０号
【特許文献４】特開２００８−１２８６２８号
【発明の開示】
【発明が解決しようとする課題】
【０００７】
以上の技術的問題点に鑑み、本発明の目的は、吹き出し温度および室内湿度を最適に調整することにより快適性を確保しつつ、省エネを可能とする外調機の制御装置を提供することにある。
【課題を解決するための手段】
【０００８】
上記課題を達成するために、本発明の外調機の制御装置は、
圧縮機と、四方弁と、室外熱交換器と、室外膨張弁とをこの順に、互いに冷媒を循環させる配管で連結することにより構成される室外機と、
室内膨張弁と、室内熱交換器とをこの順に、冷媒を循環させる配管で連結することにより構成される室内機と、を接続することにより形成される冷凍回路が複数設けられ、
前記室内熱交換器はそれぞれ、対応する冷凍回路に対して互いに並列接続された複数段の分配流路を有し、
前記複数の冷凍回路の前記室内熱交換器に対して共通に、吸い込み温度を検出する吸い込み温度センサー、吹き出し温度を検出する吹き出し温度センサー、および気化式加湿器が設けられ、
前記室内膨張弁は、対応する前記分配流路を開閉可能に設けられ、前記室内熱交換器により外気を加熱又は冷却するとともに、前記気化式加湿器により加湿することにより、室内の空気を調和する外調機の制御装置であって、
前記室内膨張弁はそれぞれ、前記吸い込み温度センサーおよび前記吹き出し温度センサーにより検出された吸い込み温度および吹き出し温度に基づいて、該室内膨張弁の絞り度を制御する室内膨張弁コントローラを有し、
前記室内膨張弁コントローラそれぞれを制御する単一マスターコントローラが設けられ、該単一マスターコントローラは、ユーザの操作により、前記外調機の電源のオンオフが可能なオンオフスイッチと、ユーザの指示により、前記四方弁を切り替えて、室内の冷暖房を切り替え可能な冷暖房切り替え手段と、ユーザの指示により、吹き出し目標温度および室内目標湿度が設定可能な吹き出し目標温度および室内目標湿度入力手段と、前記吸い込み温度センサーにより検出された吸い込み温度および設計吸い込み温度に基づいて、前記複数の冷凍回路の各々において、前記室内熱交換器の稼動すべき段数を算出する段数算出手段と、算出された前記室内熱交換器の稼動すべき段数に基づいて、前記室外機の稼動すべき台数を決定する台数決定手段と、室内目標湿度と室内湿度との湿度差に基づいて、前記室内熱交換器の段数制御および前記室外機の台数制御に対する割り込みを行う割り込み手段とを有し、
該単一マスターコントローラは、前記室内膨張弁コントローラそれぞれに対して、制御信号を送り、それにより、室内熱交換器入口温度と室内熱交換器出口温度との温度差に基づいて、いずれかの前記冷凍回路の前記複数段の分配流路の前記室内膨張弁の開閉を制御することにより、前記室内熱交換器の段数制御を行い、いずれかの前記冷凍回路の前記複数段の分配流路各々に対応する前記室内膨張弁がすべて閉じられたら、対応する前記室外機の前記圧縮機を停止することにより、前記室外機の台数制御を行い、
室内目標湿度と室内湿度との湿度差に基づいて、前記室内熱交換器の段数制御および前記室外機の台数制御に対する割り込みを行い、室内湿度が室内目標湿度に達するまで、前記室内熱交換器の段数制御および前記室外機の台数制御を、室内目標湿度と室内湿度との湿度差に基づいて、優先的に行う、構成としている。
【０００９】
以上の構成を有する外調機の制御装置によれば、たとえば、単一マスターコントローラを操作する際、オンオフスイッチによりスイッチオンにして、冷暖房切り替え手段により暖房を選択し、吹き出し目標温度および室内目標湿度入力手段により吹き出し目標温度および室内目標湿度を設定すると、単一マスターコントローラは、室内機の室内膨張弁コントローラそれぞれに対して、制御信号を送り、それにより、室内熱交換器入口温度と室内熱交換器出口温度との温度差に基づいて、段数算出手段を通じて、いずれかの冷凍回路の複数段の分配流路の室内膨張弁の開閉を制御することにより、室内熱交換器の段数制御を行い、台数決定手段を通じて、いずれかの冷凍回路の複数段の分配流路各々に対応する室内膨張弁がすべて閉じられたら、対応する室外機の前記圧縮機を停止することにより、室外機の台数制御を行うようにしている。
これにより、たとえば、余分な室内機および室外機の稼動による過暖房を抑制することが可能であり、最適温度を達成しつつ、省エネを実現することが可能である。
その際、室内目標湿度と室内湿度との湿度差に基づいて、割り込み手段を通じて、室内熱交換器の段数制御および室外機の台数制御に対する割り込みを行い、室内湿度が室内目標湿度に達するまで、室内熱交換器の段数制御および室外機の台数制御を、室内目標湿度と室内湿度との湿度差に基づいて、優先的に行うことも可能であり、それにより、気化式加湿器の稼動を通じて気化潜熱により温度低下が引き起こされるとともに、温度低下が飽和湿度の低下を生じ、加湿量に制限が課せられるところ、温度制御のための室内熱交換器の段数制御および室外機の台数制御に対して、湿度制御のための室内熱交換器の段数制御および室外機の台数制御を優先することにより、たとえば、温度制御としては過暖房として段数を低減すべきところ、湿度制御として、気化式加湿器稼動に伴う温度低下および加湿量の制限を見越して、むしろ段数を増大することにより、このような事態を未然に防止し、以って、最適湿度を達成しつつ、省エネを実現することも可能であり、総じて、吹き出し温度および室内湿度を最適に調整することにより快適性を確保しつつ、省エネが可能となる。
【００１０】
さらに、前記複数の冷凍回路において、前記室内膨張弁の開閉制御を行う冷凍回路の順序、および１つの前記冷凍回路内の複数の室内膨張弁において、開閉制御を行う順序を予め定めておくのがよい。
さらにまた、前記複数の冷凍回路のいずれかの前記複数の室内膨張弁のいずれかの室内膨張弁の開閉制御を開始したら、その冷凍回路中の前記複数の室内膨張弁のすべてが、開または閉とならない限り、他の冷凍回路の前記複数の室内膨張弁の開閉制御を行わないのがよい。
加えて、冷房モードにおける、前記室内膨張弁の開閉制御を行う冷凍回路の順序、および複数の室内膨張弁において開閉制御を行う順序と、暖房モードにおける、前記室内膨張弁の開閉制御を行う冷凍回路の順序、および複数の室内膨張弁において開閉制御を行う順序とをそれぞれ、逆の順序とすることにより、シーズンローテンションを行うのがよい。
【００１１】
さらに、前記単一マスターコントローラは、無線あるいは有線によるリモートコントローラであるのがよい。
さらにまた、前記単一マスターコントローラは、前記気化式加湿器による加湿量を調整する加湿量調整手段をさらに有するのでもよい。
加えて、前記段数算出手段は、室内湿度が室内目標湿度より低い場合において、前記室内熱交換器の段数制御により、前記室内膨張弁を開として、段数を増加するのがよい。
【００１２】
また、前記段数算出手段は、室内湿度が室内目標湿度より低い場合において、前記室内熱交換器の段数制御により段数を増加するとともに、前記加湿量調整手段により、前記気化式加湿器により加湿量を増大するのがよい。
さらに、室内湿度が室内目標湿度より低い場合において、前記室内熱交換器の段数制御により、段数を増加するとともに、前記気化式加湿器による加湿量を増大した後、所定時間経過後、室内湿度と室内目標湿度との差を算出し、それに基づいて、前記室内熱交換器の段数制御および前記室外機の台数制御に対する割り込みを解除するか否かを決定する割り込み解除手段をさらに有するのがよい。
【００１３】
さらにまた、前記段数算出手段は、前記室内熱交換器の段数制御において、前記複数の冷凍回路の各々において、前記室内熱交換器の全段数を稼働した場合の設計吸い込み温度と設計室温との温度差ΔT、および検出した外気温度と目標室温との温度差Δｔを算出する手段と、
前記全段数に対して、ΔｔのΔTに対する比を乗じることにより、稼動すべき段数を算出する手段と、
算出された稼動すべき段数に基づいて、前記複数の冷凍回路のいずれかについて、前記室内熱交換器の段数を増減する手段と、
を有するのがよい。
【００１４】
加えて、前記室内機には、前記室内熱交換器の下流側に、前記室内熱交換器により温度調整された外気を室内に送り込むように送風機がさらに設けられ、
検出した外気温度と目標室温との温度差Δｔに基づいて、前記送風機をインバータ制御することにより、前記室内熱交換器により温度調整された外気の流量をさらに調整する送風機インバータ制御手段を有するのがよい。
さらに、前記室内熱交換器の段数制御および前記室外機の台数制御により、所定時間内に吹き出し温度が吹き出し目標温度に達しない場合において、前記室内熱交換器の開状態の前記分配流路の対応する室内膨張弁の開度を比例的に制御することにより、冷媒の流量を制御する冷媒流量制御手段をさらに有するのがよい。
【００１５】
さらに、前記冷媒流量制御手段は、吹き出し温度の所定時間内の変化率が所定値を満たさない場合に、前記室内熱交換器の開状態の前記分配流路の対応する室内膨張弁の開度を比例的に制御することにより、冷媒の流量を制御する段階をさらに有するのがよい。
【発明を実施するための最良の形態】
【００１６】
図１に示すように、室内Ｒの空気調和機１０は、外調機１０と内調機１１とを有し、外調機１０と内調機１１それぞれ、室内機と室外機（いずれも後に説明）とを、冷媒を循環する配管で接続して構成されており、外調機１０は、室内機において、外気を取り入れ、温度制御および湿度制御を行って、室内Ｒに空気調和した空気を吹き出し、一方、内調機１１は、室内機において、室内空気を取り入れ、温度制御を行って、室内Ｒに空気調和した空気を吹き出しており、この点において、外調機１０は、内調機１１が室内の負荷変動に伴い温度制御をする前提として、変動する外気に対して、目標の吹き出し温度を達成するものである。
【００１７】
以下、外調機１０について説明すれば、図２に示すように、室内機３２は、圧縮機１４と、四方弁１６と、室内膨張弁２６と、室内熱交換器２８などが冷媒を循環する配管３で連結されて構成されており、室外機２４は、室外熱交換器１８と、室外膨張弁２０などが冷媒を循環する配管２２で連結されて構成されている。
【００１８】
室内機３２の内部で冷媒の配管２２は、循環冷媒が複数に分配されるように並列接続された３本の分配流路３６Ａないし３６Ｃとなっている。各分配流路３６Ａないし３６Ｃには、それぞれ室内熱交換器２８Ａないし２８Ｃが形成されており、各分配流路３６Ａないし３６Ｃには、それぞれ室内膨張弁２６Ａないし２８Ｃが設けられている。室内膨張弁２６Ａないし２６Ｃは、それぞれ弁開度が調整可能であり、それにより、各分配流路３６Ａないし３６Ｃの開閉を制御可能としている。
【００１９】
一方、室外機２４の内部で、室内機３２と同様に、冷媒の配管２２は、循環冷媒が複数に分配されるように並列接続された３本の分配流路３７Ａないし３７Ｃとなっている。各分配流路３７Ａないし３７Ｃには、それぞれ室外熱交換器１８Ａないし１８Ｃが形成されており、また、各分配流路３７Ａないし３７Ｃには、それぞれ室外膨張弁２０Ａないし２０Ｃが設けられている。室外膨張弁２０Ａないし２０Ｃは、それぞれ弁開度が調整可能であり、それにより、各分配流路３７Ａないし３７Ｃの開閉を制御可能としている。なお、室外機２４と室内機３２で、流路の分配数を異ならせてもよい。
【００２０】
複数の冷凍回路３４の室内熱交換器２８に対して共通に、室内熱交換器２８の上流側には、吸い込み温度を検出する吸い込み温度センサー３８が設けられ、室内熱交換器２８の下流側には、加湿用の水を噴霧可能な気化式加湿器４２、室内熱交換器２８により温度調整され、かつ気化式加湿器４２により湿度調整された外気を室内に送り込む送風機７０、室内Ｒの湿度センサー４１、および吹き出し温度を検出する吹き出し温度センサー４０が設けられる。
【００２１】
図２に示すように、室内熱交換器２８及び室外熱交換器１８はそれぞれ、３分割された各熱交換器を上下に等間隔に配置している。分割された熱交換器は、このように上下に等間隔に配置してもよいし、左右又は奥行き方向に等間隔に配置してもよい。また、等間隔でなく、適宜間隔をあけて配置してもよい。
以上のように、外調機１０について、室内機３２、室外機２４およびこれらを接続する配管２２により、構成される冷凍回路３４が３基設けられる。
【００２２】
図３に示すように、外調機１０には、外調機１０を制御するための単一マスターコントローラ４６が設けられ、単一マスターコントローラ４６は、それぞれの室外機２４、それぞれの室内機３２、気化式加湿器４２、送風機７０、湿度センサー４１、吹き出し温度センサー４０および吸い込み温度センサー３８と制御ラインを介して接続されている。
より詳細には、室内膨張弁２６Ａないし２６Ｃはそれぞれ、吸い込み温度センサー３８および吹き出し温度センサー４０により検出された吸い込み温度および吹き出し温度に基づいて、室内膨張弁２６の絞り度を制御する室内膨張弁コントローラ４４を有し、室内膨張弁コントローラ４４それぞれを制御する単一マスターコントローラ４６が設けられる。  
【００２３】
単一マスターコントローラ４６は、ユーザの操作により、外調機１０の電源のオンオフが可能なオンオフスイッチ４８と、ユーザの指示により、四方弁１６を切り替えて、室内Ｒの冷暖房を切り替え可能な冷暖房切り替え手段５０と、ユーザの指示により、吹き出し目標温度および室内目標湿度が設定可能な吹き出し目標温度および室内目標湿度入力手段５２と、吸い込み温度センサー３８により検出された吸い込み温度および設計吸い込み温度に基づいて、複数の冷凍回路３４の各々において、室内熱交換器２８の稼動すべき段数を算出する段数算出手段５４と、算出された室内熱交換器２８の稼動すべき段数に基づいて、室外機２４の稼動すべき台数を決定する台数決定手段５６と、室内目標湿度と室内湿度との湿度差に基づいて、室内熱交換器２８の段数制御および室外機２４の台数制御に対する割り込みを行う割り込み手段５８とを有し、単一マスターコントローラ４６は、室内膨張弁コントローラ４４Ａないし４４Ｃそれぞれに対して、制御信号を送るようにしている。
【００２４】
単一マスターコントローラ４６は、気化式加湿器４２による加湿量を調整する加湿量調整手段６０をさらに有するとともに、検出した外気温度と目標室温との温度差Δｔに基づいて、送風機７０をインバータ制御することにより、室内熱交換器２８により温度調整された外気の流量をさらに調整する送風機インバータ制御手段７２を有する。
室内膨張弁コントローラ４４Ａないし４４Ｃおよび単一マスターコントローラ４６はそれぞれ、ＣＰＵ、メモリ等が実装された制御基板を備え、制御基板同士がリモコンケーブルで接続されている。単一マスターコントローラ４６は、無線あるいは有線によるリモートコントローラでよい。
【００２５】
次に、外調機１０の動作について説明する。図２に示す破線実線矢印は冷房運転時における冷媒の流れを示し、実線矢印は暖房運転時における冷媒の流れを示している。
【００２６】
まず、冷房運転時は、圧縮機１４で圧縮された高温高圧の冷媒は、四方弁１６を通過して室外熱交換器１８に流入し、室外熱交換器１８を通過する空気と熱交換して凝縮液化した後、室外膨張弁２０に流入する。ここで、室外熱交換器１８Ａないし１８Ｃのうち、いずれの熱交換器に冷媒が流入するかは、単一マスターコントローラ４６によって制御される。
【００２７】
単一マスターコントローラ４６によって開になった室外膨張弁２０に対応する室外熱交換器１８で外気と熱交換された冷媒は、室外膨張弁２０を介して室内機３２に送られ、室内膨張弁２６によって、室内熱交換器２８で蒸発できる圧力まで減圧され、その後室内熱交換器２８に流入し、室内熱交換器２８を通過する空気と熱交換して蒸発ガス化する。
【００２８】
ここで、単一マスターコントローラ４６は、ユーザなどによって予め設定された設定温度と、吹き出しセンサー４０で得られた温度とを比較して、差分に基づいて室内の負荷を判断し、室内膨張弁２６Ａないし２６Ｃのうち、減圧をおこなう膨張弁を選択する。これにより、冷媒は選択された室内膨張弁２６で減圧し、この膨張弁に対応する室内熱交換器２８のみで熱交換して蒸発する。そして、室内熱交換器２８で熱交換して蒸発したガス冷媒は、四方弁１６を介して再び圧縮機１４に戻る。
【００２９】
一方、暖房運転の場合は、四方弁１６を切り替えて、冷媒の循環方向が反対になるだけで基本的な動作は冷房時と同様である。つまり、圧縮機１４で圧縮された冷媒は、実線矢印のように四方弁１６を介して室内熱交換器２８へ流入し、室内熱交換器２８を通過する空気と熱交換して凝縮液化する。その後、室外膨張弁２０で減圧され、室外熱交換器１８で熱交換されて蒸発し、ガス冷媒となって圧縮機１４に戻る。
【００３０】
以上説明したように、本実施形態によれば、室外熱交換器１８及び室内熱交換器２８は、それぞれ複数の分配流路で形成された熱交換器を有しており、この分配流路のそれぞれの流路を、室外膨張弁２０及び室内膨張弁２６により開閉制御することができ、室外熱交換器１８及び室内熱交換器２８の冷媒流量を制御して熱交換量を制御し、その結果、負荷変動に対する熱交換量の制御を安定しておこなうことができる。
【００３１】
また、吹き出し温度と設定温度との差に基づく負荷だけではなく、外気温度に基づく室外熱交換器の負荷も考慮して、室外膨張弁の開閉を制御して冷媒流量を制御することができ、室外側と室内側のそれぞれの負荷変動に対して、それぞれの熱交換器で熱交換量を制御し、その結果、負荷変動に対する熱交換量の制御を安定しておこなうことができる。
【００３２】
以上の構成を有する外調機１０について、その制御方法について、図４ないし図７を参照しながら、以下に詳細に説明する。
図４に示すように、まず、ステップ１において、マスターコントローラ４６により、電源スイッチをオンにした後、運転モードを設定する。具体的には、冷房モードか、暖房モードかを設定する。
【００３３】
次いで、ステップ２において、マスターコントローラ４６により、吹き出し温度を設定する。
次いで、ステップ３において、マスターコントローラ４６により、運転オンとなるまで待機モードとなる。
次いで、ステップ４において、運転オンとなると、冷房モードか、暖房モードかに応じて、以下の制御態様が異なる。具体的には、冷房モードの場合、室内機３２の段数制御（ステップ５）および室外機２４の台数制御（ステップ６）を行う一方、暖房モードの場合、室内機３２の段数制御（ステップ９）および室外機２４の台数制御（ステップ１０）を行う点では、冷房モードと同様であるが、室内機３２の段数制御および室外機２４の台数制御により温度制御を行う場合、室内湿度に応じて（ステップ１１）、湿度制御を温度制御に優先して行う。ここが、本願発明の特徴点であり、さらに、以下に詳細に説明する。
【００３４】
説明の都合上、先に冷房モードの場合を説明する。
図５および図９に示すように、ステップ１００において、ΔＴおよびΔｔを算出する。具体的には、ΔＴは、すべての室内機３２ＡないしＣの全段数（９基）を開とする場合の設計吸込み温度と設計吹出し温度との差であり、一方、Δｔは、測定される実際の吸込み温度（外気温度）と設定した目標吹き出し温度との差である。
次いで、ステップ１０１において、全段数に対してΔｔ／ΔＴを乗じて、必要な段数を算出する。この場合、端数は切り上げている。
【００３５】
次いで、ステップ１０２において、室内機３２の段数制御について、室内機３２Ａ、３２Ｂおよび３２Ｃの順に制御することを予め定めておくことにより、まず、室内機３２Ａについて、必要な段数に対して、室内機３２Ａの室内膨張弁２６を全て開くか否かを判定する。この場合、全て開く場合は、室内機３２Ｂの段数制御に移り、全てを開く必要がない場合には、室外機２４の台数制御として、室外機２４Ａは稼動する一方、室外機２４Ｂおよび室外機２４Ｃを停止する。
【００３６】
次いで、ステップ１０３において、室内機３２Ｂについて、必要な段数、正確には、ステップ１０１で算出された段数から室内機３２Ａにおける段数を引いた値に対して、室内機３２Ｂの室内膨張弁２６を全て開くか否かを判定する。この場合、全て開く場合は、室内機３２Ｃの段数制御に移り、全てを開く必要がない場合には、室外機２４の台数制御として、室外機２４Ｂは稼動する一方、室外機２４Ｃは停止維持する。
この場合、複数の冷凍回路３４において、室内膨張弁２６の開閉制御を行う冷凍回路の順序、および１つの冷凍回路内の複数の室内膨張弁２６において、開閉制御を行う順序を予め定めておき、複数の冷凍回路３４のいずれかの複数の室内膨張弁２６のいずれかの室内膨張弁の開閉制御を開始したら、その冷凍回路中の複数の室内膨張弁のすべてが、開または閉とならない限り、他の冷凍回路の複数の室内膨張弁の開閉制御を行わないように設定している。
【００３７】
次いで、ステップ１０４において、室内機３２Ｃについて、必要な段数、正確には、ステップ１０１で算出された段数から室内機３２Ａおよび室内機３２Ｂそれぞれにおける段数を引いた値に対して、室内機３２Ｃの室内膨張弁２６を全て開くか否かを判定する。この場合、全て開く場合は、室内機３２ＡないしＣの比例制御に移り、全てを開く必要がない場合には、室外機２４の台数制御として、室外機２４Ｃを稼動し、すべての室外機２４Ａないし室外機２４Ｃそれぞれを稼動する。
【００３８】
この場合、図８に示すように、たとえば、ステップ１１０において算出した室内機３２の必要な段数が５基の場合、室内機３２Ａの室内膨張弁２６をすべて開として、室内機３２Ｂの室内膨張弁２６の２基を開とし、その結果、室内機３２Ａおよび室内機３２Ｂそれぞれに対応する室外機２４Ａおよび室外機２４Ｂは稼動する一方、室外機２４Ｃを停止する。
図４に戻り、ステップ７において、室内機３２の開いている室内膨張弁２６（図８では、５基）を対象にして、比例制御を行い、ステップ８において、吹き出し温度が設定した目標温度に達したかを判定し、目標温度に達しない場合には、室内膨張弁２６の比例制御を反復して行う。
【００３９】
より詳細には、膨張弁の比例制御は、図８に示すように、たとえば、冷房モードにおいて、段数算出された５基の室内機の膨張弁を開く（１００％）と、冷やし過ぎとなり、目標吹き出し温度より低くなる場合、目標吹き出し温度を達成するものである。
【００４０】
この場合、図８において開いている５基の膨張弁４４ＡＡ、４４ＡＢ、４４ＡＣ、４４ＢＡおよび４４ＢＢを比例制御の対象とするが、開いた順番とは逆の順に、比例制御を行うようにしている。より詳細には、図１１に示すように、膨張弁４４ＢＢ、４４ＢＡ、４４ＡＣ、４４ＡＢおよび４４ＡＡの順番に１基ずつ比例制御を行う。
【００４１】
より具体的には、まず、膨張弁４４ＢＢの比例制御を行う。たとえば、１００％開を７０％、５０％としていき、０％、つまり膨張弁４４ＢＢを閉じても、目標吹き出し温度より低くなる場合に、次に、膨張弁４４ＢＡの比例制御を行う。比例制御の割合（何％開くか）を段階的に予め定めておいてもよい。同様にして、膨張弁４４ＢＡを閉じても、目標吹き出し温度より低くなる場合に、次に、膨張弁４４ＡＣの比例制御を行う。このように、目標吹き出し温度を達成するまで、１基ずつ膨張弁の比例制御を行う。
【００４２】
この場合、図８に示すように、膨張弁４４ＢＢおよび膨張弁４４ＢＡを閉じることにより、室内機３２Ｂの膨張弁はすべて閉じられるので、対応する室外機２４Ｂを停止する。
以上の膨張弁の比例制御と室外機の台数制御により、膨張弁の比例制御が室内機の段数制御に対する微調整機能を果たすとともに、室外機の台数制御との組み合わせにより、目標吹き出し温度に応じて、必要な室内機および室外機のみを稼動させることにより、省エネを達成することが可能である。
【００４３】
以上のように、外調機の制御において、冷房モードの場合、設定温度に対して室内の温度がある程度高く、負荷が大きいと判断する場合は、熱交換量を多くして設定温度に迅速に近づける必要があるので、たとえば、室外膨張弁２０Ａないし２０Ｃを全て開にして、室外熱交換器１８Ａないし１８Ｃの全てに冷媒を通流させて熱交換をおこなう。
【００４４】
これに対して、室内の温度が略設定温度まで冷却されている負荷の小さい場合は、室外膨張弁２０Ａないし２０Ｃのうち、一部のみを開にして、開にした室外熱交換器１８のみに冷媒を通流させて熱交換をおこなう。
【００４５】
また、単一マスターコントローラ４６は、このような差分Δｔに基づく室内の負荷による制御に加えて、吸い込み温度センサー３８で得られた外気の温度に基づいて室外膨張弁２０の開閉を制御する。これは、例えば室内の負荷が同じ状態でも、外気の温度は独立に変動するものであるので、外気が低く凝縮能力が高い場合は開にする室外膨張弁の数を少なくし、外気が高く凝縮能力が低い場合は開にする室外膨張弁の数を多くする。
【００４６】
次に、ステップ４において、暖房モードの場合を説明する。
ステップ９およびステップ１０に示すように、温度制御を行う場合の室内機３２の段数制御および室外機２４の台数制御は、冷房モードの場合と同様であるので、その説明は省略し、湿度制御を以下に説明する。
ステップ１１において、室内湿度を目標湿度と比較する。室内湿度が目標湿度以下の場合は、ステップ１２において、湿度制御が割り込み、温度制御のステップ９およびステップ１０において算出された室内機３２の段数および室外機２４の台数がリセットされる。
【００４７】
より詳細には、図１０に示すように、まず、ステップ２０１において、気化式加湿器の加湿量／送風機の送風量（＝Δｘ）を算出する。次いで、図６に示すように、ステップ２０２において、Δｘに基づいて、等エンタルピー線上に沿って、気化式加湿器による温度降下分（Δｔｘ）を算出する。次いで、ステップ２０３において、全段数に対して（Δｔ＋Δｔｘ）／ΔＴを乗じて、必要な段数を算出する。この場合、ΔＴは、温度制御の場合の段数制御で用いた値をそのまま用い、端数は切り上げている。
以上により、気化式加湿器を用いて湿度制御を行う場合において、加湿により気化潜熱により温度が低下するとともに、温度低下ゆえに加湿不足になることがあるところ、この点について、気化式加湿器による温度降下分（Δｔｘ）を補償して必要な室内膨張弁２６の段数を算出しており、これにより、季節に応じて大幅に変動する外気に対して、エネルギーロスを抑制しつつ、目標温度および/目標湿度を達成することが可能である。
【００４８】
次いで、ステップ２０４において、室内機３２の段数制御について、室内機３２Ａ、３２Ｂおよび３２Ｃの順に制御することを予め定めておくことにより、まず、室内機３２Ａについて、必要な段数に対して、室内機３２Ａの室内膨張弁２６を全て開くか否かを判定する。この場合、全て開く場合は、室内機３２Ｂの段数制御に移り、全てを開く必要がない場合には、室外機２４の台数制御として、室外機２４Ａは稼動する一方、室外機２４Ｂおよび室外機２４Ｃを停止する。
次いで、ステップ２０５において、室内機３２Ｂについて、必要な段数、正確には、ステップ２０３で算出された段数から室内機３２Ａにおける段数を引いた値に対して、室内機３２Ｂの室内膨張弁２６を全て開くか否かを判定する。この場合、全て開く場合は、室内機３２Ｃの段数制御に移り、全てを開く必要がない場合には、室外機２４の台数制御として、室外機２４Ｂは稼動する一方、室外機２４Ｃは停止維持する。
【００４９】
次いで、ステップ２０６において、室内機３２Ｃについて、必要な段数、正確には、ステップ２０３で算出された段数から室内機３２Ａおよび室内機３２Ｂそれぞれにおける段数を引いた値に対して、室内機３２Ｃの室内膨張弁２６を全て開くか否かを判定する。この場合、全て開く場合は、室内機３２ＡないしＣの比例制御に移り、全てを開く必要がない場合には、室外機２４の台数制御として、室外機２４Ｃを稼動し、すべての室外機２４Ａないし室外機２４Ｃそれぞれを稼動する。
【００５０】
図４に戻り、ステップ７において、室内機３２の開いている室内膨張弁２６を対象にして、比例制御を行い、ステップ８において、吹き出し温度が設定した目標温度に達したかを判定し、目標温度に達しない場合には、たとえば、暖房モードにおいて、段数算出された５基の室内機の膨張弁を開く（１００％）と、暖め過ぎとなり、目標吹き出し温度より高くなる場合に、微調整を行うことにより、比例制御を反復して行うのは、冷房モードの場合と同様である。
【００５１】
単一マスターコントローラ４６によって選択される熱交換器は、例えば、１番目から１つずつ順番に選択された熱交換器であってもよいし、１番目、３番目、５番目などのように奇数番を選択してもよい。また、偶数番を選択してもよい。つまり、３個の熱交換器のうち、開又は閉にする熱交換器の個数は、上述したように吹き出し温度や室外温度などに基づいて制御され、開又は閉にする熱交換器の場所や組み合わせ方は、適宜選択することができる。
【００５２】
変形例として、図７に示すように、冷房モード（図７（Ａ））における、室内膨張弁の開閉制御を行う冷凍回路の順序、および複数の室内膨張弁において開閉制御を行う順序（図面上において、上から下）と、暖房モードにおける（図７（Ｂ））、室内膨張弁の開閉制御を行う冷凍回路の順序、および複数の室内膨張弁において開閉制御を行う順序（図面上において、下から上）とをそれぞれ、逆の順序とすることにより、シーズンローテンションを行い、熱交換器の稼働率が平準化するようにするのもよい。
【００５３】
さらに、室内熱交換器の段数制御および室外機の台数制御により、所定時間内に吹き出し温度が吹き出し目標温度に達しない場合において、室内熱交換器の開状態の分配流路の対応する室内膨張弁の開度を比例的に制御することにより、冷媒の流量を制御する冷媒流量制御手段をさらに有するのでもよい。
また、冷媒流量制御手段は、吹き出し温度の所定時間内の変化率が所定値を満たさない場合に、室内熱交換器の開状態の分配流路の対応する室内膨張弁の開度を比例的に制御することにより、冷媒の流量を制御する段階をさらに有するのでもよい。
さらにまた、室内湿度が室内目標湿度より低い場合において、室内熱交換器の段数制御により、段数を増加するとともに、気化式加湿器４２による加湿量を増大した後、所定時間経過後、室内湿度と室内目標湿度との差を算出し、それに基づいて、室内熱交換器の段数制御および室外機の台数制御に対する割り込みを解除するか否かを決定する割り込み解除手段をさらに有するのでもよい。
加えて、検出した外気温度と目標室温との温度差Δｔに基づいて、送風機インバータ制御手段７２により、送風機７０をインバータ制御することにより、室内熱交換器により温度調整された外気の流量をさらに調整するのでもよい。
【００５４】
以上の構成を有する外調機１０の制御装置によれば、たとえば、単一マスターコントローラ４６を操作する際、オンオフスイッチによりスイッチオンにして、冷暖房切り替え手段５０により暖房を選択し、吹き出し目標温度および室内目標湿度入力手段５２により吹き出し目標温度および室内目標湿度を設定すると、単一マスターコントローラ４６は、室内機３２の室内膨張弁コントローラ２６それぞれに対して、制御信号を送り、それにより、室内熱交換器入口温度と室内熱交換器出口温度との温度差に基づいて、段数算出手段５４を通じて、いずれかの冷凍回路３４の複数段の分配流路３６の室内膨張弁２６の開閉を制御することにより、室内熱交換器２８の段数制御を行い、台数決定手段５６を通じて、いずれかの冷凍回路３４の複数段の分配流路３６各々に対応する室内膨張弁２６がすべて閉じられたら、対応する室外機２４の圧縮機１４を停止することにより、室外機２４の台数制御を行うようにしている。
【００５５】
これにより、たとえば、余分な室内機３２および室外機２４の稼動による過暖房を抑制することが可能であり、最適温度を達成しつつ、省エネを実現することが可能である。
その際、室内目標湿度と室内湿度との湿度差に基づいて、割り込み手段５８を通じて、室内熱交換器２８の段数制御および室外機２４の台数制御に対する割り込みを行い、室内湿度が室内目標湿度に達するまで、室内熱交換器２８の段数制御および室外機２４の台数制御を、室内目標湿度と室内湿度との湿度差に基づいて、優先的に行うことも可能であり、それにより、気化式加湿器４２の稼動を通じて気化潜熱により温度低下が引き起こされるとともに、温度低下が飽和湿度の低下を生じ、加湿量に制限が課せられるところ、温度制御のための室内熱交換器２８の段数制御および室外機２４の台数制御に対して、湿度制御のための室内熱交換器２８の段数制御および室外機２４の台数制御を優先することにより、たとえば、温度制御としては過暖房として段数を低減すべきところ、湿度制御として、気化式加湿器４２稼動に伴う温度低下および加湿量の制限を見越して、むしろ段数を増大することにより、このような事態を未然に防止し、以って、最適湿度を達成しつつ、省エネを実現することも可能であり、総じて、吹き出し温度および室内湿度を最適に調整することにより快適性を確保しつつ、省エネが可能となる。
【００５６】
以下に、本発明の第２実施形態について、図１２を参照しながら説明する。以下の説明において、第１実施形態と同様な構成要素については、同様な参照番号を付することによりその説明は省略し、以下では、本実施形態の特徴部分について詳細に説明する。
本実施形態の特徴は、第１実施形態においては、冷房モード、暖房モードいずれの場合も、室内機の段数制御および室外機の台数制御について、いったん段数の算出あるいは停止すべき台数を算出したら、見直しをせずに、ワンススルーで室内機の比例制御に移行しているのに対して、室内機の比例制御に移行後に、室内機の段数の見直しおよび室外機の台数の見直しの必要性を判断し（図１２のステップ１４）、必要であれば、見直しを行い、運転モードまで戻るようにした点（図１２のステップ４）にある。
【００５７】
より詳細には、図１２に示すように、室内機の比例制御により、目標吹き出し温度を達成後、ステップ１４において、室内機の段数の見直しおよび室外機の台数の見直しの必要性を判断する。
室内機の段数の見直しおよび室外機の台数の見直しの条件としては、３通りあり、第1に、吹き出し設定温度を変更した場合、第2に、タイマーによる繰り返し見直し時間が経過した場合、第3に、吸い込み温度（外気温度）の変化が所定値を超えた場合である。このいずれかの条件を充足する場合に、室内機の段数しおよび室外機の台数を再度算出するために、ステップ４の運転モードの直前に戻るようにしている。
【００５８】
第1の条件は、たとえば、内調機による室内温度の調整との関係において、当初に設定した吹き出し温度を変更する場合であり、第２の条件は、予めタイマーにより所定時間間隔を設定しておくことにより、所定時間間隔を経過するたびに、室内機の段数および室外機の台数を強制的に見直す場合であり、第３の条件は、たとえば、昼間外気温度と夜間外気温度とで温度差が生じるが、このような外気温度の自然的な変化が一定以上の場合に、室内機の段数および室外機の台数を強制的に見直す場合であり、外調機特有の見直し条件である。第２の条件の所定時間間隔、および第３の所定温度差は、外調機が使用される場所、条件等に応じて適宜に設定すればよい。
【００５９】
以上のような条件下で、室内機の段数および室外機の台数を強制的に見直すことにより、必要なときに、必要な数だけ室内機および室外機を稼動させることにより、より確実に省エネを達成するとともに、内調機と協働して、より快適な室内の空気調和を達成可能である。
【００６０】
以上、本発明の実施形態を詳細に説明したが、本発明の範囲から逸脱しない範囲内において、当業者であれば、種々の修正あるいは変更が可能である。
たとえば、本実施形態において、暖房を行う場合に、段数制御によりいずれかの室内膨張弁２６を閉じる際、閉じられている室内膨張弁２６の多い室内機３２の開いている室内膨張弁２６を優先的に閉じ、それにより、対応する室外機２４をできるだけ早期に停止させる台数制御を行うようにしているが、それに限定されることなく、段数制御によりいずれかの室内膨張弁２６を閉じる限り、任意の室内機３２の開いている室内膨張弁２６を閉じ、それにより、いずれかの室内機３２の電子室内膨張弁２６がすべて閉じられたら、対応する室外機２４を停止させる台数制御を行ってもよい。
【００６１】
たとえば、本実施形態において、温度制御において段数制御により運転すべき段数を算出する場合において、全段数に対して、ΔｔのΔTに対する比を乗じることにより、稼動すべき段数を算出しているが、室内機の膨張弁の段数および室外機の台数の算出後、室内機の開いている膨張弁により比例制御を行い、微調整を行う限り、端数を切り上げてもよいし、切り下げてもよいし、四捨五入でもよい。
たとえば、本実施形態において、湿度制御において段数制御により運転すべき段数を調整する場合において、段数を１段ずつ増減させているが、温度制御において段数制御により運転すべき段数を調整する場合においては、全段数に対して、ΔｔのΔTに対する比を乗じることにより、稼動すべき段数を算出した結果、たとえば、現在の運転段数５基からいきなり３基、２基等１段ずつに限らず増減させることが含まれる。
【図面の簡単な説明】
【００６２】
【図１】本発明の第１実施形態に係る外調機を含む室内空気調和装置の構成を示す図である。
【図２】本発明の第１実施形態に係る外調機の構成を示す図である。
【図３】本発明の第１実施形態に係る外調機の制御装置の構成を示す図である。
【図４】本発明の第１実施形態に係る外調機の制御フローを示す図である。
【図５】本発明の第１実施形態に係る外調機の室内機３２の段数制御において、算出するΔｔおよびΔＴを示す空気線図である。
【図６】本発明の第１実施形態に係る外調機の湿度制御において算出するΔｔｘを示す空気線図である。
【図７】本発明の第１実施形態に係る外調機の制御方法の変形例として、いわゆるシーズンローテーション制御の態様を示す図であり、図７（Ａ）が、冷房モードの場合、図７（Ｂ）が、暖房モードの場合である。
【図８】本発明の第１実施形態に係る外調機の室内機３２の段数制御において、温度制御における室内機３２の段数制御および室外機２４の台数制御の状況を示す概略図である。
【図９】本発明の第１実施形態に係る外調機の制御方法において、温度制御における室内機３２の段数制御および室外機２４の台数制御の制御フローを示す図である。
【図１０】本発明の第１実施形態に係る外調機の湿度制御において、図９と同様な図である。
【図１１】本発明の第１実施形態に係る外調機の室内機３２の比例制御および室外機２４の台数制御の状況を示す概略図である。
【図１２】本発明の第２実施形態に係る外調機の制御方法において、温度制御における室内機３２の段数制御および室外機２４の台数制御の制御フローを示す、図４と同様な図である。
【符号の説明】
【００６３】
Ｒ    室内
１０  外調機
１１  内調機
１２  制御装置
１４  圧縮機
１６  四方弁
１８  室外熱交換器
２０  室外室内膨張弁
２２  配管
２４  室外機
２５  室外機
２６  室内膨張弁
２８  室内熱交換器
３０  配管
３２  室内機
３３  室内機
３４  冷凍回路
３６  分配流路
３７  分配流路
３８  吸い込み温度センサー
４０  吹き出し温度センサー
４１  湿度センサー
４２  気化式加湿器
４４  室内膨張弁コントローラ
４６  単一マスターコントローラ
４８  オンオフスイッチ
５０  冷暖房切り替え手段
５２  吹き出し目標温度および室内目標湿度入力手段
５４  段数算出手段
５６  台数決定手段
５８  割り込み手段
６０  加湿量調整手段
６２  割り込み解除手段
６４  設計吸い込み温度と設計室温との温度差ΔTおよび検出した外気温度と目標室温との温度差Δｔを算出する手段
６６  稼動すべき段数を算出する手段
６８  室内熱交換器の段数を増減する手段
７０  送風機
７２  送風機インバータ制御手段
７４  冷媒流量制御手段
【図１】
0006024726.tif 000002
【図２】
0006024726.tif 000003
【図３】
0006024726.tif 000004
【図４】
0006024726.tif 000005
【図５】
0006024726.tif 000006
【図６】
0006024726.tif 000007
【図７】
0006024726.tif 000008
【図８】
0006024726.tif 000009
【図９】
0006024726.tif 000010
【図１０】
0006024726.tif 000011
【図１１】
0006024726.tif 000012
【図１２】
0006024726.tif 000013